(57)【要約】【課題】動画モード/静止画モードの切り替えにより液晶画面上に発生するモアレを除去し、かつ、ランプの点灯不良の問題を解決する。【解決手段】モード設定部７００が、動画モードか静止画モードかに応じて制御信号をインバータ制御部８００に供給すると、インバータ制御部は、該制御信号に応じて、タイミング信号をインバータ６００に印加するか否かを制御する。タイミング信号が印加されると、インバータは同期モードで動作し、印加されないと、非同期モードで動作する。タイミング信号は、水平同期信号のゲート選択信号であり、これにより、静止画モードでは、水平同期信号に同期してランプを駆動してモアレを除去し、動画モードでは、インバータ自体の周波数でランプを駆動することにより、ランプの点灯不良の問題を解決する。【選択図】図２
2004326091.tif 000002
【特許請求の範囲】
【請求項１】
選択されたディスプレイモードによる制御信号を出力するモード設定部と、
前記モード設定部の制御信号により外部から受信したタイミング信号を選択的に出力するインバータ制御部と、
前記選択的に出力されたタイミング信号により同期モードまたは非同期モードで動作するインバータとを備えることを特徴とする電源供給装置。
【請求項２】
前記タイミング信号は、ゲート選択信号またはデータクロック信号の何れかであることを特徴とする請求項１に記載の電源供給装置。
【請求項３】
前記タイミング信号は、垂直同期信号または水平同期信号の何れかであることを特徴とする請求項１に記載の電源供給装置。
【請求項４】
液晶パネル、前記液晶パネルに走査信号を伝送するゲート駆動部及び画像信号を伝送するデータ駆動部を含む液晶モジュールと、
外部から入力される前記画像信号及び前記液晶モジュールのディスプレイを制御するタイミング信号を供給するタイミングコントローラと、
選択されたディスプレイモードによる制御信号を出力するモード設定部と、
前記モード設定部の制御信号により前記タイミングコントローラから受信した前記タイミング信号を選択的に出力するインバータ制御部と、
前記選択的に出力されたタイミング信号により同期モードまたは非同期モードで動作するインバータと、
前記インバータの動作モードによる該当の周波数で駆動されるランプとを備えることを特徴とする液晶表示装置。
【請求項５】
前記タイミング信号は、ゲート選択信号またはデータクロック信号の何れかであることを特徴とする請求項４に記載の液晶表示装置。
【請求項６】
前記タイミング信号は、垂直同期信号または水平同期信号の何れかであることを特徴とする請求項４に記載の液晶表示装置。
【請求項７】
前記モード設定部は、前記タイミングコントローラに備えられることを特徴とする請求項４に記載の液晶表示装置。
【請求項８】
選択されたディスプレイモードによる制御信号を出力するステップ１と、
前記制御信号によりインバータ制御部が外部から入力されたタイミング信号を選択的に出力するステップ２と、
前記選択的に出力されたタイミング信号によりインバータが同期モードまたは非同期モードでランプを駆動するステップ３とを含むことを特徴とする液晶表示装置の駆動方法。
【請求項９】
前記ディスプレイモードは、動画モードまたは静止画モードであることを特徴とする請求項８に記載の液晶表示装置の駆動方法。
【請求項１０】
前記ステップ１は、前記ディスプレイモードが動画モードである場合、第１のレベルの制御信号を出力し、静止画モードである場合、第２のレベルの制御信号を出力するステップを含むことを特徴とする請求項９に記載の液晶表示装置の駆動方法。
【請求項１１】
前記ステップ２は、前記第１のレベルの制御信号である場合、前記外部から入力されたタイミング信号を出力し、前記第２のレベルの制御信号である場合、前記外部から入力されたタイミング信号を出力しないステップを含むことを特徴とする請求項１０に記載の 液晶表示装置の駆動方法。
【請求項１２】
前記タイミング信号は、ゲート選択信号またはデータクロック信号の何れかであることを特徴とする請求項８に記載の液晶表示装置の駆動方法。
【請求項１３】
前記タイミング信号は、垂直同期信号または水平同期信号の何れかであるのことを特徴とする請求項８に記載液晶表示装置の駆動方法。
【発明の詳細な説明】
【技術分野】
【０００１】
本発明は、液晶表示装置及びその駆動方法に関し、より詳しくは、液晶表示装置の動画モード/静止画モードの切り替えにより、インバータを非同期式や同期式に制御することにより、ランプの点灯不良の問題を解決できる電源供給装置、液晶表示装置及びその駆動方法に関する。
【背景技術】
【０００２】
一般に、液晶表示装置は、液晶パネルと、データ駆動部と、ゲート駆動部とからなる液晶モジュールと、バックライトとを備えている。
液晶表示装置において、液晶パネルは、それ自体が非発光性であるから、光のないところでは使用できない。従って、液晶パネルの裏面から液晶パネルの全体に均一な光を伝達するバックライトとして、ランプが用いられている。
最近、液晶表示装置は、テレビジョンとモニタ兼用としてよく使われているが、テレビジョンモードであるときには、主に動画像が表示され、モニタモードであるときには、主に静止画像が表示される傾向がある。
【０００３】
このような液晶表示装置のランプを駆動するインバータを制御する方法として、インバータに液晶モジュールの水平同期信号を印加し、これに同期する周波数でランプを駆動する同期式方法と、インバータ自体の周波数でランプを駆動する非同期式方法とがある。
非同期式方法の場合、ランプ周波数とフレーム周波数の間の干渉現象(例えば、ビーティング現象)を起こし、画面にモアレが発生する。このようなモアレ現象は、動画像よりも静止画像で認識しやすい。
このような問題点を解消するために、以下の特許文献１に記載されているように、ランプを駆動するインバータに水平同期信号を印加し、インバータが前記水平同期信号に同期してランプを駆動することにより、ノイズを低減させるようにした同期式方法が用いられている。
【特許文献１】韓国特許公開第２００３−１７１８７号公報
【発明の開示】
【発明が解決しようとする課題】
【０００４】
しかし、この場合でも、動画モードから静止画モードに、または、静止画モードから動画モードに切り替えるとき、インバータに印加される同期信号の周波数が瞬間的に高くなって、ランプ周波数の許容限界を超えることになり、ランプが消える点灯不良などの問題点があった。
本発明は、上記問題点に鑑みなされたものであり、液晶表示装置の動画モード/静止画モードの切り替えにより、液晶画面上に発生するモアレを除去し、ランプの点灯不良の問題を解決できるランプ駆動用の電源供給装置、液晶表示装置及びその駆動方法を提供することを目的とする。
【課題を解決するための手段】
【０００５】
上記の目的を達成するために、本発明による電源供給装置は、
選択されたディスプレイモードによる制御信号を出力するモード設定部と、
前記モード設定部の制御信号により外部から受信したタイミング信号を選択的に出力するインバータ制御部と、
前記選択的に出力されたタイミング信号により同期モードまたは非同期モードで動作するインバータと
を備えることを特徴とする。
【０００６】
また、本発明による液晶表示装置は、
液晶パネル、前記液晶パネルに走査信号を伝送するゲート駆動部及び画像信号を伝送するデータ駆動部を含む液晶モジュールと、
外部から入力される前記画像信号及び前記液晶モジュールのディスプレイを制御するタイミング信号を供給するタイミングコントローラと、
選択されたディスプレイモードによる制御信号を出力するモード設定部と、
前記モード設定部の制御信号により前記タイミングコントローラから受信した前記タイミング信号を選択的に出力するインバータ制御部と、
前記選択的に出力されたタイミング信号により同期モードまたは非同期モードで動作するインバータと、
前記インバータの動作モードによる該当の周波数で駆動されるランプと
を備えることを特徴とする。
前記モード設定部は、前記タイミングコントローラに備えてもよい。
【０００７】
さらに、本発明による液晶表示装置の駆動方法は、
選択されたディスプレイモードによる 制御信号を出力するステップ１と、
前記制御信号によりインバータ制御部が外部から入力されたタイミング信号を選択的に出力するステップ２と、
前記選択的に出力されたタイミング信号によりインバータが同期モードまたは非同期モードでランプを駆動するステップ３と
を含むことを特徴とする。
【０００８】
ここで、前記ディスプレイモードは、動画モードまたは静止画モードであることが好ましい。
このとき、前記ステップ１は、前記ディスプレイモードが動画モードである場合、第１のレベルの制御信号を出力し、静止画モードである場合、第２のレベルの制御信号を出力するステップを含むことが好ましい。
また、前記ステップ２は、前記第１のレベルの制御信号である場合、前記外部から入力されたタイミング信号を出力し、前記第２のレベルの制御信号である場合、前記外部から入力されたタイミング信号を出力しないステップを含むことが好ましい。
ここで、前記タイミング信号は、垂直同期信号、水平同期信号、ゲート選択信号、及びデータクロック信号など一定の周期を持つ信号を意味し、前記タイミング信号としての信号を生成して使用することもできる。
【発明の効果】
【０００９】
このような本発明による電源供給装置、液晶表示装置及びその駆動方法によれば、液晶表示装置の動画モード/静止画モードの切り替えにより、インバータを非同期式や同期式に制御し、液晶画面に発生するモアレを除去し、ランプの点灯不良の問題を解決することができる。
【発明を実施するための最良の形態】
【００１０】
以下、本発明の好ましい実施の形態を、添付図面に基づいて詳しく説明する。
図１は、本発明の実施の形態による液晶表示装置を説明するための図である。
図示のように、本発明の実施の形態による液晶表示装置は、二つのガラスの間に液晶が注入された液晶パネル４００と、液晶パネル４００を駆動するための駆動回路２００及び３００と、これらの駆動回路をそれぞれ制御する制御信号を発生するタイミングコントローラ１００からなる液晶モジュールと、ランプ５００と、反射板５１０と、ランプ５００を駆動するために高い電圧を印加するランプ駆動部(電源供給装置)９００などからなるバックライト部とを備えている。
【００１１】
図２は、本発明の実施の形態による液晶表示装置に具備される回路の接続関係を示すブロック図である。
図２のブロック図に示すように、前述の本発明の実施の形態による液晶表示装置は、タイミングコントローラ１００と、ゲート駆動部２００と、データ駆動部３００と、液晶パネル４００と、ランプ５００と、インバータ６００と、モード設定部７００と、インバータ制御部８００とを備えている。
また、本発明の実施の形態による電源供給装置９００、即ち、ランプ駆動部は、インバータ６００と、モード設定部７００と、インバータ制御部８００とから構成される。
【００１２】
図２に示すように、タイミングコントローラ１００は、外部のグラフィック制御器(図示せず)からＲＧＢのそれぞれの画像信号Ｒ、Ｇ、Ｂ、垂直同期信号Ｖｓｙｎｃや水平同期信号Ｈｓｙｎｃ、メインクロックＭＣＬＫ、及びデータイネーブル信号ＤＥなどを受信し、画像信号Ｒ、Ｇ、Ｂの表示を制御する垂直同期信号Ｖｓｙｎｃや水平同期信号Ｈｓｙｎｃに基づいて第１〜第３のタイミング信号Ｃ１、Ｃ２、Ｃ３を生成する。生成された第１のタイミング信号Ｃ１は、ゲート駆動部２００に出力され、生成された第２のタイミング信号Ｃ２は、画像信号Ｒ、Ｇ、Ｂと共にデータ駆動部３００に出力され、生成された第３のタイミング信号Ｃ３は、インバータ制御部８００に出力される。
【００１３】
ここで、第１のタイミング信号Ｃ１は、ゲートオン/オフ信号の出力を制御するゲート選択信号ＣＰＶと、最初のゲートラインの選択のための垂直同期開始信号ＳＴＶと、出力イネーブル信号ＯＥとを含む。
また、第２のタイミング信号Ｃ２は、画像信号Ｒ、Ｇ、Ｂの伝送終了後にデータ駆動部ＩＣに出力を開始するロッド信号ＴＰと、ゲートラインの開始を示す水平同期開始信号ＳＴＨと、データ選択信号ＨＣＬＫとを含む。
本実施の形態において、第３のタイミング信号Ｃ３は、第１のタイミング信号Ｃ１のゲート選択信号ＣＰＶであることが好ましく、ゲート選択信号ＣＰＶは、水平同期信号Ｈｓｙｎｃのような周波数の信号であることが好ましい。
【００１４】
ゲート駆動部２００は、タイミングコントローラ１００からゲート選択信号ＣＰＶや垂直同期開始信号ＳＴＶを受信し、複数のゲートオン/オフ信号Ｇ１、Ｇ２、...Ｇｎを液晶パネル４００に構成された複数のゲートラインに順次印加する。
データ駆動部３００は、タイミングコントローラ１００から画像信号Ｒ、Ｇ、Ｂをそれぞれ受信し、シフトレジスタ(図示せず)内に格納し、水平同期開始信号ＳＴＨが印加された場合には、画像信号Ｒ、Ｇ、Ｂに応じた電圧に変換して液晶パネル４００に構成された複数のデータラインにそれぞれ印加するが、最初のゲートラインから最後のゲートラインに対応する水平同期開始信号ＳＴＨが入力された場合には、該当の画像信号Ｒ、Ｇ、Ｂを液晶パネル４００に伝達する。
【００１５】
液晶パネル４００は、ｍ×ｎ個のマトリックス状に構成された複数の画素電極からなり、ゲート駆動部２００から受信されるゲートオン/オフ信号Ｇ１、Ｇ２、...Ｇｎが画素に印加されることにより、データ駆動部３００から受信されるデータ電圧Ｄ１、Ｄ２、...Ｄｎに応じ、組み込まれた該当の画素電極を駆動して画像を表示する。
ランプ５００は、所定の光を液晶パネルの裏面に与えるもので、一般的に、ＥＥＦＬ(External Electrode Fluorescence Lamp)が広く用いられているが、ＣＣＦＬ(Cold Cathod Fluorescence Lamp)も用いることができる。
【００１６】
本発明の実施の形態による電源供給装置９００は、インバータ６００と、モード設定部７００と、インバータ制御部８００とから構成され、インバータ６００は、外部の電源供給部からの直流電圧をランプ５００を駆動するに適した交流電圧に変換して出力しており、これについての詳細は後述する。
モード設定部７００は、テレビジョンとモニタ兼用として使われる液晶表示装置において、動画モードと静止画モードとを区分し、動画モードである場合、ハイレベル「１」の制御信号を出力し、静止画モードである場合、ローレベル「０」の制御信号を出力し、後述するインバータ制御部８００に印加する。ここで、動画モードは、本発明による液晶表示装置をテレビジョン用として主に動画像を表示したときのモードであり、静止画モードは、本発明による液晶表示装置をモニタ用として主に静止画像を表示したときのモードである。
また、モード設定部７００は、前記タイミングコントローラ１００に備えても良い。
【００１７】
インバータ制御部８００は、前記モード設定部７００からの制御信号(１または０)により、第３のタイミング信号Ｃ３をインバータ６００に印加し、インバータ６００を同期モードで動作させるか、または第３のタイミング信号Ｃ３が印加されないように制御して非同期モードで動作させることができる。
図３は、本発明の実施の形態によるインバータ制御部８００を示す図である。
図示のように、本発明の実施の形態によるインバータ制御部８００は、モード設定部７００からの制御信号によりスイッチＱ２を動作させ、第３のタイミング信号ＣＰＶの印加を制御する。制御信号が「１」である場合、スイッチＱ２は、アクティブ状態となり、これにより第３のタイミング信号ＣＰＶは、スイッチＱ２を経てインバータ６００を同期モードで動作させるための同期信号Ｓｙｎｃ２として入力される。 制御信号が「０」である場合、スイッチＱ２はオフされ、第３のタイミング信号ＣＰＶはインバータ６００に印加されない。
【００１８】
図４は、本発明によるインバータを説明するためのブロック図である。
本発明によるインバータ６００は、インバータ制御部８００の信号により、同期モードと非同期モードとで動作されるが、図４に示すように、外部からの直流電圧を交流電圧に変換するためのスイッチ手段６２０と、スイッチ手段６２０を介して変換された電圧を昇圧してランプ５００に印加するトランスフォーマ６３０と、スイッチ手段６２０のスイッチング時間を調節するコントローラ６１０とを備えている。
同期モードである場合、同期信号Ｓｙｎｃ２は、コントローラ６１０に印加され、コントローラ６１０は、印加された同期信号ｓｙｎｃ２によりスイッチ手段６２０を制御し、ランプに印加される電圧の周波数と液晶モジュールの水平同期信号の周波数とを同期させる。
図５は、図４に示すインバータの各部分の出力電圧とランプ電流とを示す波形図であり、インバータ６００が非同期モードと同期モードとで動作するときの波形を示している。
【００１９】
図２、図４及び図５を参照する。動画モードである場合、モード設定部７００からハイレベル「１」を出力し、インバータ制御部８００に印加し、インバータ制御部８００は、タイミングコントローラ１００からのタイミング信号Ｃ３をインバータ６００のコントローラ６１０に印加し、インバータが同期モードで動作するようにする。
静止画モードである場合、モード設定部７００からローレベル「０」を出力し、インバータ制御部８００に印加し、インバータ制御部８００は、タイミングコントローラ１００からのタイミング信号Ｃ３をインバータ６００に印加せず、インバータ６００は非同期モードで動作する。
図５に示すように、同期モードで動作する場合、ランプ電流の周波数は、印加されたタイミング信号Ｃ３と同じ周波数を有する。一般に、ゲート選択信号ＣＰＶを同期信号として用いているが、ゲート選択信号ＣＰＶは、水平同期信号Ｈｓｙｎｃと同じ周波数の信号であることが好ましい。
【００２０】
以下、本発明の実施の形態による液晶表示装置の駆動方法について説明する。
図６は、本発明の実施の形態による液晶表示装置の駆動方法を説明するためのフローチャートである。
図示のように、先ず、液晶表示装置を動画モードで設定して使用するか、または静止画モードで設定して使用するかに対するモード設定を行う（Ｓ１００）。
ここで、動画モードは、本発明による液晶表示装置をテレビジョン用として動画像を表示するときのモードであり、静止画モードは、本発明による液晶表示装置をモニタ用として主に静止画像を表示するときのモードである。
次に、モード設定部７００は、動画モードと静止画モードとを区別し、動画モードに設定される場合、第１のレベルの制御信号「１」を出力し、静止画モードに設定される場合、第２のレベルの制御信号「０」を出力する（Ｓ２００）。(例えば、第１のレベルの信号は「１」、第２のレベルの信号は「０」にすることができる。)
【００２１】
次に、第１のレベルの制御信号「１」である場合、インバータ制御部８００は、タイミングコントローラ１００からのタイミング信号ＣＰＶをインバータ６００に印加し（Ｓ４００）、インバータ６００は同期モードでランプ５００を駆動する（Ｓ５００）。
第２のレベルの制御信号「０」である場合、インバータ制御部８００は、タイミングコントローラ１００からのタイミング信号ＣＰＶをインバータ６００に印加せず、インバータ６００は非同期モードでランプ５００を駆動する（Ｓ３００）。
【００２２】
前述のように、動画モードでは、液晶パネルに常に動画像が表示されるため、画面上のモアレ現象が人の目に感知しにくいが、主に静止画像が表示される静止画モードでは、モアレ現象が感知しやすい。
従って、本発明においては、静止画モードでは、水平同期信号に同期してランプを駆動することにより、モアレを除去し、動画モードでは、インバータ自体の周波数でランプを駆動することにより、ランプの点灯不良の問題も解決することができる。
【００２３】
以上のように、本発明を、上記実施の形態を参照して詳細に説明したが、本発明は、これに限定されるものでなく、このような本発明の基本的な技術的思想を逸脱しない範囲内で、当業界の通常の知識を有する者にとっては、他の多くの変更が可能であろう。
例えば、本発明の実施の形態においては、ゲート選択信号ＣＰＶをインバータ同期信号として用いているが、水平同期信号Ｈｓｙｎｃまたは垂直同期信号Ｖｓｙｎｃを同期信号として用いるか、既存の信号でない別の信号を生成してインバータ同期信号として用いることもできる。
【産業上の利用可能性】
【００２４】
本発明に係る電源供給装置、液晶表示装置及びその駆動方法は、液晶表示装置の動画モード/静止画モードの切り替えにより、液晶表示装置のランプ駆動部を構成するインバータを非同期式や同期式に制御することにより、液晶画面に発生するモアレを除去すると共に、ランプの点灯不良の問題を解決することができる装置等に利用することができる。
【図面の簡単な説明】
【００２５】
【図１】本発明の実施の形態による液晶表示装置を説明するための図である。
【図２】本発明の実施の形態による液晶表示装置の回路ブロック図である。
【図３】本発明の実施の形態によるインバータ制御部を示す図である。
【図４】本発明によるインバータを説明するためのブロック図である。
【図５】図４のインバータの各部分の出力電圧とランプ電流を示す波形図である。
【図６】本発明の実施の形態による液晶表示装置の駆動方法を説明するためのフローチャートである。
【符号の説明】
【００２６】
１００    タイミングコントローラ
２００    ゲート駆動部
３００    データ駆動部
４００    液晶パネル
５００    ランプ
６００    インバータ
６１０    コントローラ
６２０    スイッチ手段
６３０    トランスフォーマ
７００    モード設定部
８００    インバータ制御部
【図１】
2004326091.tif 000003
【図２】
2004326091.tif 000004
【図３】
2004326091.tif 000005
【図４】
2004326091.tif 000006
【図５】
2004326091.tif 000007
【図６】
2004326091.tif 000008